(57)【要約】【課題】組み立て作業の容易化を図る。【解決手段】互いに平行に配置される２組のフレーム部１１，１２，１３，１４を有した矩形状を成す枠体１０に対して互いに平行に配置される横フレーム部１１，１２の相互間に架設されることにより、枠体１０に２つの面材支持部１０Ａ，１０Ｂを構成する建具用架設フレーム材１５Ｆであって、長手方向に沿った仮想の第１基準平面Ｐ１に対して可動面材支持部１０Ａに配置される第１面材支持要素１５Ｆａ及び第１基準平面Ｐ１に対して固定面材支持部１０Ｂに配置される第２面材支持要素１５Ｆｂが一体に成形され、第１面材支持要素１５Ｆａ及び第２面材支持要素１５Ｆｂは、外殻構成部１５１及び面材係合部１５３が第１基準平面Ｐ１上の長手方向に沿う軸心Ｃを中心として回転対称となる断面形状を有し、面材係合部１５３が個々の一方の縁部のみから突出するように一体に設けられている。【選択図】図５
2020169525.tif 000002
【特許請求の範囲】
【請求項１】
互いに平行に配置される２組のフレーム部を有した矩形状を成す枠体に対して互いに平行に配置される１組のフレーム部の相互間に架設されることにより、前記枠体に２つの面材支持部を構成する建具用架設フレーム材であって、
長手方向に沿った仮想の第１基準平面に対して前記２つの面材支持部の一方に配置される第１面材支持要素及び前記第１基準平面に対して前記２つの面材支持部の他方に配置される第２面材支持要素が一体に成形され、
前記第１面材支持要素及び前記第２面材支持要素は、外殻部を構成する外殻構成部及び面材に係合する面材係合部が前記第１基準平面上の長手方向に沿う軸心を中心として回転対称となる断面形状を有し、前記面材係合部が個々の一方の縁部のみから突出するように一体に設けられていることを特徴とする建具用架設フレーム材。
【請求項２】
前記第１面材支持要素及び前記第２面材支持要素のそれぞれには、他方の縁部に押縁を装着する押縁装着部が設けられていることを特徴とする請求項１に記載の建具用架設フレーム材。
【請求項３】
建具用フレーム材の小口端面を相互に接合することにより、互いに平行に配置される２組のフレーム部を有した矩形状を成し、かつ互いに平行に配置される１組のフレーム部の相互間に請求項１に記載した建具用架設フレーム材を配設することによって２つの面材支持部が設けられる枠体であって、
前記建具用架設フレーム材の端部が接続される１組のフレーム部は、互いに断面形状の異なる２つの建具用フレーム材を相互に接合することによって直線状に構成されたものであり、
前記フレーム部を構成する２つの建具用フレーム材は、長手方向に沿った仮想の第２基準平面に対して一方側に配置される外周側要素及び前記第２基準平面に対して他方側に配置される内周側要素が一体に成形され、前記外周側要素を相互に接合することにより前記フレーム部を構成し、前記内周側要素から内周側に向けて突出する面材係合部を介して面材に係合されるものであり、
前記第１面材支持要素との間に前記２つの面材支持部の一方を構成する建具用フレーム材は、前記内周側要素の外殻部を構成する内周外殻構成部が前記第１面材支持要素の外殻構成部と同一の断面形状を有し、それぞれに設けた傾斜接合面を介して前記第１面材支持要素に接合されており、
前記第２面材支持要素との間に前記２つの面材支持部の他方を構成する建具用フレーム材は、前記内周側要素の外殻部を構成する内周外殻構成部が前記第２面材支持要素の外殻構成部と同一の断面形状を有し、それぞれに設けた傾斜接合面を介して前記第２面材支持要素に接合されていることを特徴とする枠体。
【請求項４】
前記フレーム部を構成する２つの建具用フレーム材は、前記外周側要素の外殻部を構成する外周外殻構成部が同一の断面形状を有し、互いに前記外周外殻構成部を介して接合されていることを特徴とする請求項３に記載の枠体。
【請求項５】
前記第１面材支持要素及び前記第２面材支持要素のそれぞれには、他方の縁部に押縁を装着する押縁装着部が設けられ、
前記面材係合部が室外側に配置される面材支持部には、前記押縁装着部に装着した押縁と前記面材係合部との間にＦＩＸ用の面材が挟持されていることを特徴とする請求項３に記載の枠体。
【発明の詳細な説明】
【技術分野】
【０００１】
本発明は、方立や無目等のように、枠体の内部に架け渡すように配設される建具用架設フレーム材及び枠体に関するものである。
【背景技術】
【０００２】
建具には、連窓や段窓等、１つの枠体に２つの面材支持部が設けられ、これらの面材支持部に互いに異なる形態の面材を支持させるようにしたものがある。例えば、外開き窓とＦＩＸ窓とが左右に設けられる連窓では、矩形状の枠体において上下の横フレーム部の間に縦フレーム部と平行となるように方立と称される架設フレーム部が配設されることで枠体に２つの面材支持部が構成されている。
【０００３】
外開き窓用の面材支持部（以下、可動面材支持部という）を構成する上下の横フレーム部、縦フレーム部及び架設フレーム部には、それぞれ室内側に位置する縁部から面材に係合する面材係合部が突出している。従って、この可動面材支持部においては、障子等の可動面材を室外側に突出させるように開くことが可能である。また、可動面材を閉じた場合には、面材係合部に設けたシール材を可動面材に密接させることができ、枠体と可動面材との間に所望の気密性や水密性を確保することが可能である。
【０００４】
一方、ＦＩＸ窓用の面材支持部（以下、固定面材支持部という）を構成する上下の横フレーム部、縦フレーム部及び架設フレーム部には、それぞれ室外側に位置する縁部から面材に係合する面材係合部が突出している。従って、この固定面材支持部においては、室内側の縁部に押縁を装着することで、室外側の面材係合部と押縁との間に複層ガラス等の固定面材を挟持することができ、押縁に直接太陽光が照射することに起因した問題を防止することが可能となる。
【０００５】
上述の枠体では、横フレーム部として、可動面材支持部と固定面材支持部とで断面形状が互いに異なるものを適用し、両者の小口端面を相互に接合して直線状に構成するようにしている。より具体的には、内周側に位置する部分については室外側と室内側とで異なる縁部から面材係合部が突出する一方、外周側に位置する部分については互いに同一の断面形状を有したフレーム材を適用し、外周側に位置する部分を相互に接合することで横フレーム部を構成している。異なる縁部から面材係合部が突出した内周側の部分には、互いの間に架設フレーム部を介在させ、両者の断面形状の違いを吸収することで上述の枠体を具現化するようにしている（例えば、特許文献１参照）。
【先行技術文献】
【特許文献】
【０００６】
【特許文献１】特開２００７−１６２３５３号公報
【発明の概要】
【発明が解決しようとする課題】
【０００７】
ところで、上記のような枠体では、架設フレーム部の向きを確認しなければならず、組み立て作業が煩雑化する要因となる。すなわち、架設フレーム部が逆向きに取り付けられた場合には、横フレーム部及び縦フレーム部と架設フレーム部とで面材係合部の断面形状が異なるため、シール材を装着することができない、固定面材との間に隙間が生じる、等々の問題を招来するおそれがある。このため、枠体を組み立てる際には、架設フレーム部に設けられた面材係合部の断面形状と、横フレーム部及び縦フレーム部のそれぞれに設けられた面材係合部の断面形状とを目視で確認する必要があり、作業が煩雑化する。
【０００８】
本発明は、上記実情に鑑みて、組み立て作業の容易化を図ることのできる建具用架設フレーム材及び枠体を提供することを目的とする。
【課題を解決するための手段】
【０００９】
上記目的を達成するため、本発明に係る建具用架設フレーム材は、互いに平行に配置される２組のフレーム部を有した矩形状を成す枠体に対して互いに平行に配置される１組のフレーム部の相互間に架設されることにより、前記枠体に２つの面材支持部を構成する建具用架設フレーム材であって、長手方向に沿った仮想の第１基準平面に対して前記２つの面材支持部の一方に配置される第１面材支持要素及び前記第１基準平面に対して前記２つの面材支持部の他方に配置される第２面材支持要素が一体に成形され、前記第１面材支持要素及び前記第２面材支持要素は、外殻部を構成する外殻構成部及び面材に係合する面材係合部が前記第１基準平面上の長手方向に沿う軸心を中心として回転対称となる断面形状を有し、前記面材係合部が個々の一方の縁部のみから突出するように一体に設けられていることを特徴とする。
【００１０】
また本発明に係る枠体は、建具用フレーム材の小口端面を相互に接合することにより、互いに平行に配置される２組のフレーム部を有した矩形状を成し、かつ互いに平行に配置される１組のフレーム部の相互間に請求項１に記載した建具用架設フレーム材を配設することによって２つの面材支持部が設けられる枠体であって、前記建具用架設フレーム材の端部が接続される１組のフレーム部は、互いに断面形状の異なる２つの建具用フレーム材を相互に接合することによって直線状に構成されたものであり、前記フレーム部を構成する２つの建具用フレーム材は、長手方向に沿った仮想の第２基準平面に対して一方側に配置される外周側要素及び前記第２基準平面に対して他方側に配置される内周側要素が一体に成形され、前記外周側要素を相互に接合することにより前記フレーム部を構成し、前記内周側要素から内周側に向けて突出する面材係合部を介して面材に係合されるものであり、前記第１面材支持要素との間に前記２つの面材支持部の一方を構成する建具用フレーム材は、前記内周側要素の外殻部を構成する内周外殻構成部が前記第１面材支持要素の外殻構成部と同一の断面形状を有し、それぞれに設けた傾斜接合面を介して前記第１面材支持要素に接合されており、前記第２面材支持要素との間に前記２つの面材支持部の他方を構成する建具用フレーム材は、前記内周側要素の外殻部を構成する内周外殻構成部が前記第２面材支持要素の外殻構成部と同一の断面形状を有し、それぞれに設けた傾斜接合面を介して前記第２面材支持要素に接合されていることを特徴とする。
【発明の効果】
【００１１】
本発明によれば、第１面材支持要素及び第２面材支持要素を有し、これら第１面材支持要素及び第２面材支持要素が、外殻部を構成する外殻構成部及び面材に係合する面材係合部が長手方向に沿った第１基準平面上の軸心を中心として回転対称となる断面形状を有し、かつ一方の縁部のみから面材係合部が突出しているため、この建具用架設フレーム材を適用して枠体を組み立てる際に、その向きを確認する必要がない。従って、適用する枠体の組み立て作業を容易化することができるようになる。
【００１２】
また、本発明によれば、建具用架設フレーム材として、第１面材支持要素及び第２面材支持要素を有し、これら第１面材支持要素及び第２面材支持要素が、外殻部を構成する外殻構成部及び面材に係合する面材係合部が長手方向に沿った第１基準平面上の軸心を中心として回転対称となる断面形状を有し、かつ一方の縁部のみから面材係合部が突出しているものを適用しているため、枠体を組み立てる際に、その向きを確認する必要がない。従って、適用する枠体の組み立て作業を容易化することができるようになる。
【図面の簡単な説明】
【００１３】
【図１】本発明の実施の形態である建具用架設フレーム材及び枠体を適用した建具を室内側から見た図である。
【図２】図１に示した建具の横断面図である。
【図３】図１に示した建具において可動面材を支持する面材支持部の縦断面図である。
【図４】図１に示した建具において固定面材を支持する面材支持部の縦断面図である。
【図５】図１に示した建具に適用するフレーム材を示すもので、（ａ）は建具用架設フレーム材の端面図、（ｂ）は第１建具用フレーム材の端面図、（ｃ）は第２建具用フレーム材の端面図である。
【図６】図１に示した建具の要部を室内側から示す部分とその断面を展開した部分とを合成して示す図である。
【図７】本発明の変形例を示す要部縦断面図である。
【発明を実施するための形態】
【００１４】
以下、添付図面を参照しながら本発明に係る建具用架設フレーム材の好適な実施の形態について詳細に説明する。
図１〜図４は、本発明の実施の形態である建具用架設フレーム及び枠体を適用した建具を示すものである。ここで例示する建具は、外開き窓とＦＩＸ窓とを左右に連窓したもので、枠体１０を備えている。
【００１５】
枠体１０は、上下の横フレーム部１１，１２及び左右の縦フレーム部１３，１４を有して矩形の枠状に構成したもので、内部に架設フレーム部１５を備えている。架設フレーム部１５は、縦フレーム部１３，１４と平行となる状態で両端部を上下の横フレーム部１１，１２に接続することにより、枠体１０の内部に左右２つの面材支持部１０Ａ，１０Ｂを構成するものである。本実施の形態では、室内側から見た場合に左側となる部位に外開き窓を構成するための面材支持部（以下、区別する場合に可動面材支持部１０Ａという）が構成してあり、室内側から見た場合に右側となる部位にＦＩＸ窓を構成するための面材支持部（以下、区別する場合に固定面材支持部１０Ｂという）が構成してある。可動面材支持部１０Ａには、矩形状を成す複層ガラス２１の四周に樹脂框２２を装着した障子（面材）２０が可動面材として開閉可能に支持してある。一方、固定面材支持部１０Ｂには、矩形状を成す複層ガラス（面材）３０が固定面材として直接嵌め込んである。
【００１６】
枠体１０を構成する横フレーム部１１，１２、縦フレーム部１３，１４及び架設フレーム部１５は、それぞれ樹脂によって成形した押し出し形材である。このうち、縦フレーム部１３，１４及び架設フレーム部１５については、それぞれが全長にわたってほぼ一様の断面形状を有する一体の建具用フレーム材１３Ｆ，１４Ｆ及び一体の建具用架設フレーム材１５Ｆによって構成してある。これに対して上方の横フレーム部１１は、可動面材支持部１０Ａを構成する建具用フレーム材１１Ｆ１と、固定面材支持部１０Ｂを構成する建具用フレーム材１１Ｆ２とを互いに接続することによって直線状に構成してある。同様に、下方の横フレーム部１２は、可動面材支持部１０Ａを構成する建具用フレーム材１２Ｆ１と、固定面材支持部１０Ｂを構成する建具用フレーム材１２Ｆ２とを互いに接続することによって直線状に構成してある。上述の建具では、可動面材支持部１０Ａを構成する建具用フレーム材１１Ｆ１，１２Ｆ１，１３Ｆが互いに同一の断面形状を有し、固定面材支持部１０Ｂを構成する建具用フレーム材１１Ｆ２，１２Ｆ２，１４Ｆが互いに同一の断面形状を有したものを適用して枠体１０が構成してある。
【００１７】
以下、図５を参照しながら、架設フレーム部１５を構成する建具用架設フレーム材１５Ｆの構成、並びに枠体１０の横フレーム部１１，１２及び縦フレーム部１３，１４を構成する建具用フレーム材１１Ｆ１，１１Ｆ２，１２Ｆ１，１２Ｆ２，１３Ｆ，１４Ｆの構成についてそれぞれ詳述し、併せて本願発明の特徴部分について説明する。なお、以下においては便宜上、可動面材支持部１０Ａを構成する建具用フレーム材１１Ｆ１，１２Ｆ１，１３Ｆについては「第１建具用フレーム材１００Ａ」、固定面材支持部１０Ｂを構成する建具用フレーム材１１Ｆ２，１２Ｆ２，１４Ｆについては「第２建具用フレーム材１００Ｂ」と称することとする。また建具用架設フレーム材１５Ｆ、第１建具用フレーム材１００Ａ、第２建具用フレーム材１００Ｂを説明する場合には、建具を構成した状態の姿勢でそれぞれの方向を特定することとする。
【００１８】
図５（ａ）に示すように、架設フレーム部１５を構成する建具用架設フレーム材１５Ｆは、見込み方向に沿った仮想の第１基準平面Ｐ１に対して一方側に配置される第１面材支持要素１５Ｆａと、第１基準平面Ｐ１に対して他方側に配置される第２面材支持要素１５Ｆｂとを一体に成形したものである。第１基準平面Ｐ１は、枠体１０において２つの面材支持部１０Ａ，１０Ｂの境界となる平面である。以下においては便宜上、可動面材支持部１０Ａに配置される部分を建具用架設フレーム材１５Ｆの第１面材支持要素１５Ｆａとし、固定面材支持部１０Ｂに配置される部分を建具用架設フレーム材１５Ｆの第２面材支持要素１５Ｆｂとして説明することとする。
【００１９】
ここで、見込み方向とは、図２〜図５中の矢印Ａで示すように、建具の奥行きに沿った方向である。見込み方向に沿った面については見込み面と称する場合がある。また、本実施の形態では便宜上、見付け方向という用語も用いる。見付け方向とは、横フレーム部１１，１２等のように水平方向に沿って延在するものの場合、見込み方向に直交した上下に沿う方向である。縦フレーム部１３，１４等のように上下方向に沿って延在するものの場合には、見込み方向に直交した水平に沿う方向を見付け方向という。見付け方向に沿った面については、見付け面と称する場合がある。さらに、外周側とは、枠体１０を基準として外方となる側であり、内周側とは、枠体１０を基準として内方となる側である。
【００２０】
図からも明らかなように、第１面材支持要素１５Ｆａ及び第２面材支持要素１５Ｆｂは、第１基準平面Ｐ１上において建具用架設フレーム材１５Ｆの長手方向に沿った軸心Ｃを中心として回転対称となる断面形状の外殻構成部１５１を有している。外殻構成部１５１は、図５（ａ）中のドット部分で示すように、建具用架設フレーム材１５Ｆの外表に現れ、かつ第１面材支持要素１５Ｆａと第２面材支持要素１５Ｆｂとで建具用架設フレーム材１５Ｆの外殻部を構成する肉厚部分である。建具用架設フレーム材１５Ｆの外殻部とは、中空部１４０を構成するのに必要となる最低限の要素部分である。つまり、内部に設けられるリブ等の部位は外殻構成部１５１に含まれない。また、外部に現れる部分においても単なるヒレ状の突起や凹部等の部位は、外殻構成部１５１に含まれない。本実施の形態では、見込み方向に延在する内壁部１５１ａと、内壁部１５１ａの両側縁部からそれぞれ見付け方向に沿って延在した２つの内側壁部１５１ｂとを有して外殻構成部１５１が構成してある。第１面材支持要素１５Ｆａの外殻構成部１５１及び第２面材支持要素１５Ｆｂの外殻構成部１５１は、互いに内側壁部１５１ｂを連続させることによって相互間に中空部１４０を構成している。図からも明らかなように、この中空部１４０においては、見付け方向に沿って延在する２つの補強用リブ１４１によって内壁部１５１ａの間が互いに接続してある。
【００２１】
外殻構成部１５１の内壁部１５１ａには、一方の縁部に押縁装着溝（押縁装着部）１５２が設けてあるとともに、他方の縁部に面材係合部１５３が設けてある。押縁装着溝１５２は、内周側に開口する溝状の凹部であり、建具用架設フレーム材１５Ｆの長手方向に沿った全長に形成してある。この押縁装着溝１５２には、ＦＩＸ窓を構成する際に必要となる押縁３００を装着することが可能である。面材係合部１５３は、内壁部１５１ａから内周側に向けて突出した板状部分であり、建具用架設フレーム材１５Ｆの長手方向に沿った全長に形成してある。本実施の形態では、内部が中空の厚板状を成す面材係合部１５３が第１基準平面Ｐ１に対してほぼ直交するように設けてある。面材係合部１５３の延在縁部には、シール材装着溝１５３ａが設けてある。シール材装着溝１５３ａは、面材係合部１５３において内壁部１５１ａの一方の縁部に臨む表面に形成した溝状の凹部であり、建具用架設フレーム材１５Ｆの長手方向に沿った全長に形成してある。このシール材装着溝１５３ａには、ＦＩＸ窓に設けられる複層ガラス３０との間のシールを行うガラスシール材３０１、及び障子２０の四周に設けられた樹脂框２２との間のシールを行う框シール材３０２を選択的に装着することが可能である。図からも明らかなように、外殻構成部１５１において面材係合部１５３に隣接する部分には、建具用架設フレーム材１５Ｆの長手方向に沿って排水溝１５１ｃが形成してある。
【００２２】
なお、建具用架設フレーム材１５Ｆの第１面材支持要素１５Ｆａ及び第２面材支持要素１５Ｆｂは押し出し形材として同時に一体に成形されるものであり、個別に成形した第１面材支持要素１５Ｆａ及び第２面材支持要素１５Ｆｂを接続して構成したものではない。但し、本発明では、第１面材支持要素１５Ｆａ及び第２面材支持要素１５Ｆｂを個別に成形した後に相互に接続したものを建具用架設フレーム材１５Ｆとして適用しても良い。
【００２３】
一方、横フレーム部１１，１２及び縦フレーム部１３を構成する第１建具用フレーム材１００Ａは、図５（ｂ）に示すように、見込み方向に沿った仮想の第２基準平面Ｐ２に対して一方側に配置される外周側要素１１０Ａと、第２基準平面Ｐ２に対して他方側に配置される内周側要素１２０Ａとを有したものである。同様に、横フレーム部１１，１２及び縦フレーム部１４を構成する第２建具用フレーム材１００Ｂは、図５（ｃ）に示すように、見込み方向に沿った仮想の第２基準平面Ｐ２に対して一方側に配置される外周側要素１１０Ｂと、第２基準平面Ｐ２に対して他方側に配置される内周側要素１２０Ｂとを有したものである。見込み方向に沿う仮想の第２基準平面Ｐ２とは、それぞれの建具用フレーム材１００Ａ，１００Ｂの長手方向（図５においては紙面に直交する方向）に沿って延在し、建具用フレーム材１００Ａ，１００Ｂを枠体１０の外周側に位置する外周側要素１１０Ａ，１１０Ｂと内周側に位置する内周側要素１２０Ａ，１２０Ｂとに分割する見込み面である。
【００２４】
図５からも明らかなように、外周側要素１１０Ａ，１１０Ｂについては第１建具用フレーム材１００Ａと第２建具用フレーム材１００Ｂとで互いに同一断面形状の外周外殻構成部１１１を有するように構成してある。これに対して内周側要素１２０Ａ，１２０Ｂについては見付け方向に沿った平面に対して第１建具用フレーム材１００Ａと第２建具用フレーム材１００Ｂとで互いに鏡像となる断面形状の内周外殻構成部１２１を有するように構成してある。
【００２５】
外周外殻構成部１１１とは、図５（ｂ）及び図５（ｃ）中のクロスハッチング部分で示すように、建具用フレーム材１００の外表に現れ、かつ内周側要素１２０Ａ，１２０Ｂの内周外殻構成部１２１とともに建具用フレーム材１００Ａ，１００Ｂの外殻部を構成する肉厚部分である。本実施の形態では、見込み方向に沿った平板状を成す基壁部１１１ａと、基壁部１１１ａの両側縁部からそれぞれ見付け方向に沿って内周側に延在した２つの外側壁部１１１ｂと、水切り部１１１ｃとを有して外周外殻構成部１１１が構成してある。水切り部１１１ｃは、室外側に配置される外側壁部１１１ｂの外周側見付け面から室外側に向けて延在した中空の突出部である。水切り部１１１ｃにおいて外周側に位置する外側面１１１ｃ１は、外側壁部１１１ｂに対してほぼ直角となるように延在する一方、内周側に位置する内側面１１１ｃ２は、室外側に向けて漸次外周となるようにわずかに傾斜している。基壁部１１１ａの外周側となる面には、外周に向けて延在するように釘ヒレ部１１２ａが設けてある。室内側に配置される外側壁部１１１ｂには、外周側に位置する縁部から室内側に向けて延在するように連結ヒレ部１１２ｂが設けてある。これら釘ヒレ部１１２ａ及び連結ヒレ部１１２ｂは、単に平板状に突出する部分であり、上述した外周外殻構成部１１１には含まれない。
【００２６】
内周外殻構成部１２１とは、外周外殻構成部１１１と同様、建具用フレーム材１００Ａ，１００Ｂの外表に現れ、かつ外周外殻構成部１１１とともに建具用フレーム材１００Ａ，１００Ｂの外殻部を構成する肉厚部分である。本実施の形態では、外周側要素１１０Ａ，１１０Ｂの外周外殻構成部１１１との間に中空部１３０を構成することができるように、建具用架設フレーム材１５Ｆの外殻構成部１５１と同一の断面形状を有するように内周側要素１２０Ａ，１２０Ｂの内周外殻構成部１２１が形成してある。つまり、第１建具用フレーム材１００Ａの内周側要素１２０Ａ及び第２建具用フレーム材１００Ｂの内周側要素１２０Ｂには、見込み方向に延在する内壁部１２１ａと、内壁部１２１ａの両側縁部からそれぞれ見付け方向に沿って外周側に延在した２つの内側壁部１２１ｂとを有して内周外殻構成部１２１が構成してある。内周外殻構成部１２１には、一方の縁部に押縁装着溝１２２が設けてあり、他方の縁部に面材係合部１２３が設けてある。押縁装着溝１２２は、建具用架設フレーム材１５Ｆに設けた押縁装着溝１５２と同一の断面形状を有したものである。面材係合部１２３には、ガラスシール材３０１及び框シール材３０２を選択的に装着することのできるシール材装着溝１２３ａが設けてある。内周外殻構成部１２１において面材係合部１２３に隣接する部分に、建具用フレーム材１００Ａ，１００Ｂの長手方向に沿って排水溝１２１ｃが形成してある点も、建具用架設フレーム材１５Ｆと同様である。但し、第１建具用フレーム材１００Ａにおいては、水切り部１１１ｃとは反対の室内側となる縁部に面材係合部１２３が設けてあり、第２建具用フレーム材１００Ｂにおいては、水切り部１１１ｃと同じ室外側となる縁部に面材係合部１２３が設けてある。
【００２７】
なお、本実施の形態では、説明の便宜上、第２基準平面Ｐ２を境界として建具用フレーム材１００Ａ，１００Ｂの外周側要素１１０Ａ，１１０Ｂと内周側要素１２０Ａ，１２０Ｂとを別々に説明しているが、これら外周側要素１１０Ａ，１１０Ｂ及び内周側要素１２０Ａ，１２０Ｂは押し出し形材としてそれぞれの建具用フレーム材１００Ａ，１００Ｂごとに同時に一体に成形されるものであり、個別に成形したものを接続したものではない。但し、本発明では、外周側要素１１０Ａ，１１０Ｂ及び内周側要素１２０Ａ，１２０Ｂを個別に成形した後に相互に接続したものをそれぞれの建具用フレーム材１００Ａ，１００Ｂとして適用しても良い。
【００２８】
以下、これらの建具用架設フレーム材１５Ｆ、第１建具用フレーム材１００Ａ、第２建具用フレーム材１００Ｂを適用した枠体１０の構成について説明する。まず、枠体１０を構成する上下の横フレーム部１１，１２については、可動面材支持部１０Ａの左右方向に沿った長さに対応する第１建具用フレーム材１００Ａと、固定面材支持部１０Ｂの左右方向に沿った長さに対向する第２建具用フレーム材１００Ｂとを２組用意し、図６に示すように、第１建具用フレーム材１００Ａの小口端面と第２建具用フレーム材１００Ｂの小口端面とを相互に溶着することによって構成してある。
【００２９】
溶着する第１建具用フレーム材１００Ａの小口端面及び第２建具用フレーム材１００Ｂの小口端面には、長手方向に対して直交する直交接合面Ｓ１が外周側要素１１０Ａ，１１０Ｂに形成してあるとともに、長手方向に対して傾斜する傾斜接合面Ｓ２が内周側要素１２０Ａ，１２０Ｂに形成してある。傾斜接合面Ｓ２は、見込み方向に沿い、かつ第２基準平面Ｐ２から離隔するに従って漸次後退するように傾斜する平面である。つまり、傾斜接合面Ｓ２は、第１建具用フレーム材１００Ａ及び第２建具用フレーム材１００Ｂの小口端面を互いに接合した場合、第２基準平面Ｐ２から離隔するに従って漸次相互間隔が増大するように傾斜し、２つの建具用フレーム材１００Ａ，１００Ｂの内周側要素１２０Ａ，１２０Ｂを分断するものである。図示の例では、第２基準平面Ｐ２からそれぞれ４５°の傾斜角度αを有するようにそれぞれの傾斜接合面Ｓ２が形成してある。
【００３０】
上記のように、小口端面に直交接合面Ｓ１及び傾斜接合面Ｓ２を形成した２つの建具用フレーム材１００Ａ，１００Ｂは、外周側要素１１０Ａ，１１０Ｂを介して相互に溶着することにより直線状となる横フレーム部１１，１２を構成している。外周側要素１１０Ａ，１１０Ｂの溶着には、樹脂窓において一般的に用いられる熱溶着を適用すれば良い。上述したように、建具用フレーム材１００Ａ，１００Ｂの外周側要素１１０Ａ，１１０Ｂは、互いに同一の断面形状を有するように構成してある。建具用フレーム材１００Ａ，１００Ｂの内周側要素１２０Ａ，１２０Ｂについては傾斜接合面Ｓ２を設けることで相互に接触することがない。従って、内周側要素１２０Ａ．１２０Ｂの面材係合部１２３が互いに反対側の縁部から突出する向きで２つの建具用フレーム材１００Ａ，１００Ｂの小口端面を対向させた場合にも外周側要素１１０Ａ，１１０Ｂの外周外殻構成部１１１を介して互いを隙間無く接合、溶着することが可能である。
【００３１】
可動面材支持部１０Ａを構成する縦フレーム部１３としては、単一の第１建具用フレーム材１００Ａをそのまま適用し、固定面材支持部１０Ｂを構成する縦フレーム部１４としては、単一の第２建具用フレーム材１００Ｂをそのまま適用している。適用する第１建具用フレーム材１００Ａ及び第２建具用フレーム材１００Ｂは互いに同一の長さを有したものである。上述した上下の横フレーム部１１，１２に対して、それぞれの両端部に縦フレーム部１３，１４を接合して溶着すれば、矩形状の枠体１０が構成されることになる。横フレーム部１１，１２の両端部及び縦フレーム部１３，１４の両端部は、それぞれに形成した４５°の傾斜面を介した留め継ぎによって接合してある。この場合、縦フレーム部１３，１４は、溶着する上下の横フレーム部１１，１２に対して、それぞれ面材係合部１２３が同一の縁部から突出している。従って、縦フレーム部１３，１４と横フレーム部１１，１２との間は、それぞれの面材支持部１０Ａ，１０Ｂにおいて外周側要素１１０Ａ，１１０Ｂ及び内周側要素１２０Ａ，１２０Ｂのすべてを介して互いに接合溶着された状態となっている。以上の結果、図示の例では、可動面材支持部１０Ａを構成する第１建具用フレーム材１００Ａのすべてが室内側となる縁部に面材係合部１２３が配置され（図２、図３）、かつ固定面材支持部１０Ｂを構成する第２建具用フレーム材１００Ｂのすべてが室外側となる縁部に面材係合部１２３が配置された状態となる（図２、図４）。
【００３２】
一方、建具用架設フレーム材１５Ｆには、図６に示すように、上下両端部にそれぞれ見込み方向に沿った傾斜接合面Ｓ３が形成してある。傾斜接合面Ｓ３は、内周側要素１２０Ａ，１２０Ｂの傾斜接合面Ｓ２に対応して形成したものである。つまり、第１基準平面Ｐ１上に位置する部分が尖端縁となり、かつ第１基準平面Ｐ１に対してそれぞれ４５°の傾斜角度βを有するように建具用架設フレーム材１５Ｆに傾斜接合面Ｓ３が設けてある。従って、第１面材支持要素１５Ｆａの面材係合部１５３が室内側の縁部から突出する向きで上下の横フレーム部１１，１２の間に建具用架設フレーム材１５Ｆを配置すれば、傾斜接合面Ｓ３，Ｓ２を介して建具用架設フレーム材１５Ｆと上下の横フレーム部１１，１２とが接合することになる。
【００３３】
ここで、建具用架設フレーム材１５Ｆは、上述したように、第１建具用フレーム材１００Ａの内周側要素１２０Ａ及び第２建具用フレーム材１００Ｂの内周側要素１２０Ｂと同一の断面形状を有するように第１面材支持要素１５Ｆａ及び第２面材支持要素１５Ｆｂを構成したものである。従って、建具用架設フレーム材１５Ｆは、上下の横フレーム部１１，１２において互いに反対側の縁部から面材係合部１２３が突出した内周側要素１２０Ａ，１２０Ｂのそれぞれに対して、内周外殻構成部１２１に第１面材支持要素１５Ｆａ及び第２面材支持要素１５Ｆｂの外殻構成部１５１を接合し、かつ面材係合部１２３に面材係合部１５３を接合した状態で溶着することが可能となる。しかも、建具用架設フレーム材１５Ｆの第１面材支持要素１５Ｆａ及び第２面材支持要素１５Ｆｂは、外殻構成部１５１及び面材係合部１５３が、第１基準平面Ｐ１上の長手方向に沿う軸心Ｃを中心として回転対称となる断面形状を有したものである。このため、隣接する第１建具用フレーム材１００Ａ及び第２建具用フレーム材１００Ｂに対して面材係合部１５３の突出する向きさえ一致させれば、面材係合部１５３の断面形状までを目視で確認する必要がない。従って、建具用架設フレーム材１５Ｆを組み立てる際の作業を容易化することができるようになる。
【００３４】
上述したように、この枠体１０では、可動面材支持部１０Ａの四周においては室内側に位置する縁部から面材係合部１５３，１２３が突出し、固定面材支持部１０Ｂの四周においては室外側に位置する縁部から面材係合部１５３，１２３が突出することになる。従って、可動面材支持部１０Ａにおいては、面材係合部１５３，１２３のシール材装着溝１５３ａ，１２３ａに対して一連となる框シール材３０２を装着することができる。これにより、可動面材支持部１０Ａに障子２０を支持させれば、外開き窓を構成することができ、障子２０を閉じた際に框シール材３０２を障子２０の樹脂框２２に接触させて所望の水密性や気密性を確保することが可能となる。
【００３５】
一方、固定面材支持部１０Ｂにおいては、面材係合部１５３，１２３のシール材装着溝１５３ａ，１２３ａに対して一連となるガラスシール材３０１を装着することができるとともに、室内側の縁部に位置する押縁装着溝１５２，１２２に押縁３００を装着することができる。従って、面材係合部１５３，１２３と押縁３００との間にＦＩＸ用の複層ガラス３０を挟持させることにより、ＦＩＸ窓を構成することが可能となる。しかも、このＦＩＸ窓においては、押縁３００が室内側に配置されることになるため、押縁３００に直接太陽光が照射することに起因した問題を防止することが可能となる。
【００３６】
なお、上述した実施の形態では、外開き窓とＦＩＸ窓とが連窓された建具の枠体１０を例示しているが、本発明は必ずしもこれらの組み合せに限定されない。例えば、図７に要部を示すように、実施の形態で構成した枠体１０の固定面材支持部１０Ｂに対して室内側に開くように障子２００を支持させれば、外開き窓と内開き窓とが連窓された建具を構成することも可能である。また、架設フレーム部１５として水平方向に沿った無目を適用すれば、外開き窓と、ＦＩＸ窓（もしくは内開き窓）とが上下に段窓された建具用の枠体を構成することも可能である。この場合には、左右の縦フレーム部１３，１４が互いに反対側の縁部から面材係合部１２３が突出する向きで接合した建具用フレーム材１００Ａ，１００Ｂによって構成されることになる。さらに、２つの建具用フレーム材１００Ａ，１００Ｂを溶着してフレーム部を構成する場合に上述した実施の形態では、外周側要素１１０Ａ，１１０Ｂに長手方向に対して直交する直交接合面Ｓ１を形成して接合させるようにしているため、外観品質上有利である。しかしながら、外周側要素１１０Ａ，１１０Ｂを接合するための接合面は、必ずしも長手方向に直交している必要はなく、例えば一方の傾斜接合面Ｓ２を延長した傾斜接合面を介して相互に接合させることも可能である。
【００３７】
また、上述した実施の形態では、押縁装着溝１２２，１５２に押縁３００を装着するようにしているが、押縁３００を装着する部分としては必ずしも溝である必要はなく、押縁３００を装着できればその他の構成であっても良い。
【００３８】
以上のように、本発明に係る建具用架設フレーム材は、互いに平行に配置される２組のフレーム部を有した矩形状を成す枠体に対して互いに平行に配置される１組のフレーム部の相互間に架設されることにより、前記枠体に２つの面材支持部を構成する建具用架設フレーム材であって、長手方向に沿った仮想の第１基準平面に対して前記２つの面材支持部の一方に配置される第１面材支持要素及び前記第１基準平面に対して前記２つの面材支持部の他方に配置される第２面材支持要素が一体に成形され、前記第１面材支持要素及び前記第２面材支持要素は、外殻部を構成する外殻構成部及び面材に係合する面材係合部が前記第１基準平面上の長手方向に沿う軸心を中心として回転対称となる断面形状を有し、前記面材係合部が個々の一方の縁部のみから突出するように一体に設けられていることを特徴としている。
【００３９】
この発明によれば、第１面材支持要素及び第２面材支持要素を有し、これら第１面材支持要素及び第２面材支持要素が、外殻部を構成する外殻構成部及び面材に係合する面材係合部が長手方向に沿った第１基準平面上の軸心を中心として回転対称となる断面形状を有し、かつ一方の縁部のみから面材係合部が突出しているため、この建具用架設フレーム材を適用して枠体を組み立てる際に、その向きを確認する必要がない。従って、適用する枠体の組み立て作業を容易化することができるようになる。
【００４０】
また本発明は、上述した建具用架設フレーム材において、前記第１面材支持要素及び前記第２面材支持要素のそれぞれには、他方の縁部に押縁を装着する押縁装着部が設けられていることを特徴としている。
【００４１】
この発明によれば、押縁装着部に押縁を装着することにより、面材係合部と押縁との間に面材の縁部を挟持することができ、例えばＦＩＸ窓を構成することが可能となる。
【００４２】
また本発明に係る枠体は、建具用フレーム材の小口端面を相互に接合することにより、互いに平行に配置される２組のフレーム部を有した矩形状を成し、かつ互いに平行に配置される１組のフレーム部の相互間に請求項１に記載した建具用架設フレーム材を配設することによって２つの面材支持部が設けられる枠体であって、前記建具用架設フレーム材の端部が接続される１組のフレーム部は、互いに断面形状の異なる２つの建具用フレーム材を相互に接合することによって直線状に構成されたものであり、前記フレーム部を構成する２つの建具用フレーム材は、長手方向に沿った仮想の第２基準平面に対して一方側に配置される外周側要素及び前記第２基準平面に対して他方側に配置される内周側要素が一体に成形され、前記外周側要素を相互に接合することにより前記フレーム部を構成し、前記内周側要素から内周側に向けて突出する面材係合部を介して面材に係合されるものであり、前記第１面材支持要素との間に前記２つの面材支持部の一方を構成する建具用フレーム材は、前記内周側要素の外殻部を構成する内周外殻構成部が前記第１面材支持要素の外殻構成部と同一の断面形状を有し、それぞれに設けた傾斜接合面を介して前記第１面材支持要素に接合されており、前記第２面材支持要素との間に前記２つの面材支持部の他方を構成する建具用フレーム材は、前記内周側要素の外殻部を構成する内周外殻構成部が前記第２面材支持要素の外殻構成部と同一の断面形状を有し、それぞれに設けた傾斜接合面を介して前記第２面材支持要素に接合されていることを特徴としている。
【００４３】
この発明によれば、建具用架設フレーム材として、第１面材支持要素及び第２面材支持要素を有し、これら第１面材支持要素及び第２面材支持要素が、外殻部を構成する外殻構成部及び面材に係合する面材係合部が長手方向に沿った第１基準平面上の軸心を中心として回転対称となる断面形状を有し、かつ一方の縁部のみから面材係合部が突出しているものを適用しているため、枠体を組み立てる際に、その向きを確認する必要がない。従って、適用する枠体の組み立て作業を容易化することができるようになる。
【００４４】
また本発明は、上述した枠体において、前記フレーム部を構成する２つの建具用フレーム材は、前記外周側要素の外殻部を構成する外周外殻構成部が同一の断面形状を有し、互いに前記外周外殻構成部を介して接合されていることを特徴としている。
【００４５】
この発明によれば、同一の断面形状を有した外周外殻構成部を介して２つの建具用フレーム材が接合されるため、フレーム部に所望の接合強度を確保することができる。
【００４６】
また本発明は、上述した枠体において、前記第１面材支持要素及び前記第２面材支持要素のそれぞれには、他方の縁部に押縁を装着する押縁装着部が設けられ、前記面材係合部が室外側に配置される面材支持部には、前記押縁装着部に装着した押縁と前記面材係合部との間にＦＩＸ用の面材が挟持されていることを特徴としている。
【００４７】
この発明によれば、押縁が室内側に設けられるため、例えば直射日光が当たる場所に建具が設けられたとしても、押縁に熱変形等の問題を招来するおそれがなくなる。
【符号の説明】
【００４８】
１０  枠体、１０Ａ，１０Ｂ  面材支持部、１１，１２  横フレーム部、１３，１４  縦フレーム部、１００Ａ，１００Ｂ（１１Ｆ１，１１Ｆ２，１２Ｆ１，１２Ｆ２，１３Ｆ，１４Ｆ）  建具用フレーム材、１５Ｆ  建具用架設フレーム材、１５Ｆａ  第１面材支持要素、１５Ｆｂ  第２面材支持要素、２０  障子、３０  複層ガラス、１１０Ａ，１１０Ｂ  外周側要素、１１１  外周外殻構成部、１２０Ａ，１２０Ｂ  内周側要素、１２１  内周外殻構成部、１２２，１５２  押縁装着溝、１２３，１５３  面材係合部、１５１  外殻構成部、３００  押縁、Ｃ  軸心、Ｐ１  第１基準平面、Ｐ２  第２基準平面、Ｓ２，Ｓ３  傾斜接合面
【図１】
2020169525.tif 000003
【図２】
2020169525.tif 000004
【図３】
2020169525.tif 000005
【図４】
2020169525.tif 000006
【図５】
2020169525.tif 000007
【図６】
2020169525.tif 000008
【図７】
2020169525.tif 000009